【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
所定の記憶媒体を接続可能で、前記記憶媒体中に格納された画像を印刷すると共に、画像表示出力手段を備える印刷装置であって、
記憶媒体が接続されたか否かを判定する判定手段と、
該判定手段によって記憶媒体が接続されたと判定した場合、当該記憶媒体に記憶された画像の日時情報と画像数を取得する取得手段と、
取得した画像数が、２以上の表示許容数以下の場合には、当該記憶媒体に記憶された画像を前記画像表示出力手段に出力し、前記画像数が前記表示許容数を越える場合には日付情報に基づいて最古、最新の少なくとも２つの画像を前記画像表示出力手段に出力する出力手段と
を備えることを特徴とする印刷装置。
【請求項２】
前記出力手段は、更に、前記記憶媒体内に記憶された画像数に関する情報を出力することを特徴とする請求項１に記載の印刷装置。
【請求項３】
前記出力手段は、前記画像数が前記表示許容数を越える場合、最古から最新に向かう前記表示許容数の半分の数に対応する画像と、最新から最古に向かう前記表示許容数の半分の数に対応する画像を前記画像表示出力手段に出力することを特徴とする請求項１に記載の印刷装置。
【請求項４】
更に、日時範囲を指定する指定手段と、
該指定手段で指定された日時範囲内にある画像を前記記憶媒体から検索する検索手段とを有し、
前記出力手段は、前記検索手段で検索された画像のうちから、最古、最新の少なくとも２つの画像を前記画像表示出力手段に出力する
ことを特徴とする請求項１に記載の印刷装置。
【請求項５】
前記画像表示出力手段は、記憶媒体内に記憶された画像を印刷するためのメニュー画面を表示し、
前記出力手段は、前記メニュー画面中に確保された記憶媒体情報表示領域に、前記許容数以内の画像を出力することを特徴とする請求項１乃至４のいずれか１項に記載の印刷装置。
【請求項６】
更に、撮像装置と通信する通信手段と、
前記撮像装置との通信可能となった場合、当撮像手段が有する記憶媒体内の画像に対して、前記判定手段、前記取得手段、前記出力手段を行う制御手段と
を備えることを特徴とする請求項１乃至５のいずれか１項に記載の印刷装置。
【請求項７】
所定の記憶媒体を接続可能で、前記記憶媒体中に格納された画像を印刷すると共に、画像表示出力手段を備える印刷装置の制御方法であって、
記憶媒体が接続されたか否かを判定する判定工程と、
該判定工程によって記憶媒体が接続されたと判定した場合、当該記憶媒体に記憶された画像の日時情報と画像数を取得する取得工程と、
取得した画像数が、２以上の表示許容数以下の場合には、当該記憶媒体に記憶された画像を前記画像表示出力手段に出力し、前記画像数が前記表示許容数を越える場合には日付情報に基づいて最古、最新の少なくとも２つの画像を前記画像表示出力手段に出力する出力工程と
を備えることを特徴とする印刷装置の制御方法。
【請求項８】
記憶装置のフォルダ内に格納された画像ファイルを管理する画像管理装置であって、
前記記憶装置並びにフォルダの位置を示すパスを入力する入力手段と、
該入力手段によってパスが指定された場合、当該パスで示される階層に更なるフォルダが存在するか否かを判定する判定手段と、
該判定手段で、前記更なるフォルダの存在すると判定した場合であって、前記更なるフォルダ内に存在する画像ファイルが所定数以下の場合、前記更なるフォルダ内の各画像の縮小画像で構成されるフォルダ表示情報を生成し、前記更なるフォルダ内に前記所定数を越える画像ファイルが存在する場合には、少なくとも画像生成日時情報の最古と最新の画像ファイルの縮小画像を含むフォルダ表示情報を生成するフォルダ表示情報生成手段と、
前記入力手段で入力されたパスのフォルダ一覧を示すウインドウ内に、前記フォルダ表示情報生成手段で生成されたフォルダ表示情報を配置するウインドウ表示制御手段と
を備えることを特徴とする画像管理装置。
【請求項９】
前記フォルダ表示情報生成手段は、直下に画像ファイルを含まないフォルダについては、画像ファイル無しを示すアイコンを生成することを特徴とする請求項８に記載の画像管理装置。
【請求項１０】
記憶装置のフォルダ内に格納された画像ファイルを管理する画像管理装置の制御方法であって、
前記記憶装置並びにフォルダの位置を示すパスを入力する入力工程と、
該入力工程によってパスが指定された場合、当該パスで示される階層に更なるフォルダが存在するか否かを判定する判定工程と、
該判定工程で、前記更なるフォルダの存在すると判定した場合であって、前記更なるフォルダ内に存在する画像ファイルが所定数以下の場合、前記更なるフォルダ内の各画像の縮小画像で構成されるフォルダ表示情報を生成し、前記更なるフォルダ内に前記所定数を越える画像ファイルが存在する場合には、少なくとも画像生成日時情報の最古と最新の画像ファイルの縮小画像を含むフォルダ表示情報を生成するフォルダアイコン生成工程と、
前記入力工程で入力されたパスのフォルダ一覧を示すウインドウ内に、前記フォルダ表示情報生成工程で生成されたフォルダ表示情報を配置するウインドウ表示制御工程と
を備えることを特徴とする画像管理装置の制御方法。
【請求項１１】
コンピュータが読み込み実行することで、前記コンピュータを、所定の記憶装置のフォルダ内に格納された画像ファイルを管理する画像管理装置として機能させるコンピュータプログラムであって、
前記記憶装置並びにフォルダの位置を示すパスを入力する入力手段と、
該入力手段によってパスが指定された場合、当該パスで示される階層に更なるフォルダが存在するか否かを判定する判定手段と、
該判定手段で、前記更なるフォルダの存在すると判定した場合であって、前記更なるフォルダ内に存在する画像ファイルが所定数以下の場合、前記更なるフォルダ内の各画像の縮小画像で構成されるフォルダ表示情報を生成し、前記更なるフォルダ内に前記所定数を越える画像ファイルが存在する場合には、少なくとも画像生成日時情報の最古と最新の画像ファイルの縮小画像を含むフォルダ表示情報を生成するフォルダ表示情報生成手段と、
前記入力手段で入力されたパスのフォルダ一覧を示すウインドウ内に、前記フォルダ表示情報生成手段で生成されたフォルダ表示情報を配置するウインドウ表示制御手段
として機能することを特徴とするコンピュータプログラム。
【請求項１２】
請求項１１に記載のコンピュータプログラムを格納したことを特徴とするコンピュータ可読記憶媒体。
【請求項１３】
記憶媒体中に格納された画像ファイルを示す画像を表示手段に表示させる画像管理装置であって、
接続された前記記憶媒体に記憶された複数の画像ファイルであって、予め番号付けられた画像ファイルを管理する管理手段と、
前記管理手段で管理する画像ファイルの数を取得する取得手段と、
前記取得手段で取得した画像ファイルの数が、前記表示手段の画像表示領域に表示させる画像の数を越える場合には前記番号の最初と最後の少なくとも２つの画像ファイルを示す画像を前記画像表示手段に出力させる出力制御手段と
を備えることを特徴とする画像管理装置。
【請求項１４】
前記画像表示領域は、選択したフォルダに格納される画像ファイルに対応する画像を表示する領域であることを特徴とする請求項１３に記載の画像管理装置。
【請求項１５】
記憶媒体中に格納された画像ファイルを示す画像を表示手段に表示させる画像管理装置の制御方法であって、
接続された前記記憶媒体に記憶された複数の画像ファイルであって、予め番号付けられた画像ファイルを管理する管理工程と、
前記管理工程で管理する画像ファイルの数を取得する取得工程と、
前記取得工程で取得した画像ファイルの数が、前記表示手段の画像表示領域に表示させる画像の数を越える場合には前記番号の最初と最後の少なくとも２つの画像ファイルを示す画像を前記画像表示手段に出力させる出力制御工程と
を備えることを特徴とする画像管理装置の制御方法。
【請求項１６】
前記画像表示領域は、選択したフォルダに格納される画像ファイルに対応する画像を表示する領域であることを特徴とする請求項１３に記載の画像管理装置の制御方法。
【手続補正２】
【補正対象書類名】明細書
【補正対象項目名】０００９
【補正方法】変更
【補正の内容】
【０００９】
この課題を解決するため、例えば本発明の印刷装置は以下の構成を備える。すなわち、
所定の記憶媒体を接続可能で、前記記憶媒体中に格納された画像を印刷すると共に、画像表示出力手段を備える印刷装置であって、
記憶媒体が接続されたか否かを判定する判定手段と、
該判定手段によって記憶媒体が接続されたと判定した場合、当該記憶媒体に記憶された画像の日時情報と画像数を取得する取得手段と、
取得した画像数が、２以上の表示許容数以下の場合には、当該記憶媒体に記憶された画像を前記画像表示出力手段に出力し、前記画像数が前記表示許容数を越える場合には日付情報に基づいて最古、最新の少なくとも２つの画像を前記画像表示出力手段に出力する出力手段とを備える。